(57)【要約】【課題】  振動特性の向上と小型化とを図ることのできる磁気ディスク装置を提供する。【解決手段】  磁気ディスクを回転させるためのモータシャフト２０と、前記モータシャフト２０を回転可能に支持するスリーブ３０と、前記モータシャフト２０が圧入され、当該モータシャフト２０の回転軸に垂直な方向に、当該圧入されたモータシャフト２０と接する内面と前記スリーブに対向する外面とを有する突出部を有し、前記磁気ディスクを支持するモータハブ１０と、を有する磁気ディスク装置とする。【選択図】        図１
2006230106.tif 000002
【特許請求の範囲】
【請求項１】
磁気ディスクを回転させるためのモータシャフトと、
前記モータシャフトを回転可能に支持するスリーブと、
前記モータシャフトが圧入され、当該モータシャフトの回転軸に垂直な方向に、当該圧入されたモータシャフトと接する内面と前記スリーブに対向する外面とを有する突出部を有し、前記磁気ディスクを支持するモータハブと、
を有する磁気ディスク装置。
【請求項２】
請求項１に記載の磁気ディスク装置において、
前記突出部の外面と前記スリーブとの間にオイルが保持される磁気ディスク装置。
【請求項３】
請求項１に記載の磁気ディスク装置において、
前記突出部の外面に対向する前記スリーブの内面に、オイル漏れ防止溝が形成されている磁気ディスク装置。
【請求項４】
請求項１に記載の磁気ディスク装置において、
前記突出部の外面が、前記磁気ディスクの回転軸に対して傾斜している磁気ディスク装置。
【請求項５】
請求項１に記載の磁気ディスク装置において、
前記突出部の外面が、前記磁気ディスクの回転軸と略平行である磁気ディスク装置。
【請求項６】
請求項１に記載の磁気ディスク装置において、
前記スリーブの前記モータシャフトと接するラジアル軸受内面と、前記突出部の外面に対向するスリーブの内面と、の間に、当該突出部の外面と当該スリーブとの間に保持されるオイルを循環させるための流路が形成される磁気ディスク装置。
【発明の詳細な説明】
【技術分野】
【０００１】
本発明は、磁気ディスク装置に関し、特に、磁気ディスク装置の振動特性の向上と小型化に関する。
【背景技術】
【０００２】
近年、ハードディスクドライブ等の磁気ディスク装置の小型化が求められている。このような磁気ディスク装置としては、例えば、図１１に示すような片持ち型のスピンドルモータと流体軸受とを用いたものがある。
【０００３】
この磁気ディスク装置１００は、磁気ディスク（図示せず）を回転させるためのモータシャフト１０１と、当該モータシャフト１０１が圧入され、当該磁気ディスクを支持するモータハブ１０２と、オイルＸを介して当該モータシャフト１０１を回転可能に支持するスリーブ１０３と、を有している。
【０００４】
このような片持ち型の磁気ディスク装置１００は、外部からの振動等の影響を受けやすいため、例えば、ラジアル軸受の剛性を高めることによる振動特性の向上が図られる（例えば、特許文献１参照）。
【特許文献１】特開２００１−３３９８９９号公報
【発明の開示】
【発明が解決しようとする課題】
【０００５】
しかしながら、上記従来の磁気ディスク装置１００においては、モータシャフト１０１がモータハブ１０３に圧入される長さＹ１と、モータシャフト１０１とスリーブ１０３との間に保持されるオイルＸのうち余剰分を蓄えておくオイルバッファの長さＹ２と、モータシャフト１０１を支持するスリーブ１０３のラジアル軸受の長さＹ３と、をその厚さ方向にそれぞれ直列的に確保していた。
【０００６】
このため、上記従来の磁気ディスク装置１００の小型化においては、その厚さの低減に限界があった。
【０００７】
本発明は、上記課題に鑑みて為されたものであって、振動特性の向上と小型化とを図ることのできる磁気ディスク装置を提供することをその目的の一つとする。
【課題を解決するための手段】
【０００８】
上記課題を解決するための本発明の一実施の形態に係る磁気ディスク装置は、磁気ディスクを回転させるためのモータシャフトと、前記モータシャフトを回転可能に支持するスリーブと、前記モータシャフトが圧入され、当該モータシャフトの回転軸に垂直な方向に、当該圧入されたモータシャフトと接する内面と前記スリーブに対向する外面とを有する突出部を有し、前記磁気ディスクを支持するモータハブと、を有することを特徴とする。
【発明を実施するための最良の形態】
【０００９】
以下、本発明の一実施の形態に係る磁気ディスク装置について、図面を参照しつつ説明する。図１に、本実施形態に係る磁気ディスク装置（以下、ディスク装置１と呼ぶ。）の第一の例についての断面を示す。
【００１０】
図１に示すように、ディスク装置１は、磁気ディスク（図示せず）を支持するモータハブ１０と、当該モータハブ１０に圧入されるモータシャフト２０と、オイルＯを介して当該モータハブ１０に圧入されたモータシャフト２０を回転可能に支持するスリーブ３０と、を有している。
【００１１】
また、このディスク装置１は、モータハブ１０とスリーブ３０との間に、モータシャフト２０を回転させるための磁界を発生させるコイルステータ４０とマグネット４１とを有している。
【００１２】
ここで、このディスク装置１に特徴的なことの一つは、モータシャフト１０がモータハブ１０に圧入されている長さＬ１の範囲内に、長さＬ２のオイルバッファＡの少なくとも一部が形成されていることである。
【００１３】
すなわち、このディスク装置１においては、モータシャフト２０とモータハブ１０とが接触する圧入部分の一部から、当該モータシャフト２０の回転軸Ｐに垂直な方向に、オイルバッファＡの一部が形成されている。
【００１４】
図２に、ディスク装置１のモータハブ１０の断面を示す。図２に示すように、このモータハブ１０は、モータシャフト２０が圧入される圧入穴Ｂを形成する圧入内面１１を有する中央部１２と、当該中央部１２から回転軸Ｐに対して略垂直な方向に円板状に広がる天板部１３と、当該天板部１３の外周端から下方に延びる円筒側面状の側板部１４と、当該側板部１４の下端から回転軸Ｐに対して略垂直な方向に延び出して磁気ディスク（図示せず）を支持するディスク受け部１５と、を有している。
【００１５】
また、中央部１１は、その下面側、すなわち、スリーブ３０と対向する側に、天板部下面１６から下方に延び出る突出部５０を有する。
【００１６】
この突出部５０は、回転軸Ｐに対して垂直な方向に、圧入穴Ｂに圧入されたモータシャフト２０と接する突出部内面５１と、後述するスリーブ３０の一部に対向する突出部外面５２と、を有している。
【００１７】
この突出部内面５１は、突出部５０の中央に開口する圧入穴Ｂの下端を囲む圧入内面１１の一部である。また、突出部外面５２は、回転軸Ｐに対して傾斜して形成されている。
【００１８】
また、天板部下面１６から突出部５０の下端までの長さ、すなわち、突出部５０の長さＬ３は、オイルバッファＡの長さＬ２と略等しくなっている。図１に示すように、ディスク装置１においては、この突出部５１の長さＬ３の範囲内に、オイルバッファＡの一部が形成されている。
【００１９】
また、圧入内面１１の長さは、モータハブ１０にモータシャフト２０が圧入されている長さＬ１に等しく、中央部上面１７から天板部下面１６までの長さＬ４と、突出部５０の長さＬ３と、の合計となっている。
【００２０】
図３に、ディスク装置１のスリーブ３０の断面を示す。図３に示すように、このスリーブ３０は、モータハブ１０の突出部外面５２と略平行に対向するバッファ内面３１と、オイルＯを介してモータシャフト２０を回転可能に支持する軸受内面３２と、を有する。
【００２１】
このバッファ内面３１は、回転軸Ｐに沿った方向にオイルバッファＡの長さと等しい長さＬ２をもって形成されている。また、このバッファ内面３１は、図１に示すように、ディスク装置１において長さＬ３の突出部５０を受け入れる突出部受入穴Ｃを形成する。すなわち、このディスク装置１においては、この突出部受入穴Ｃ内に受け入れられた突出部５０の外面５２と、当該突出部外面５２に対向するバッファ内面３１と、の間にオイルバッファＡが形成される。
【００２２】
このように、このディスク装置１は、回転軸Ｐに垂直な方向に、モータハブ１０に圧入されたモータシャフト２０と接触する突出部内面５１と、互いに対向してオイルバッファＡを形成する突出部外面５２とバッファ内面３１と、を有する。
【００２３】
また、軸受内面３２は、モータシャフト２０が挿入される（図１参照）軸受穴Ｄを形成する円筒内面である。図１に示すように、ディスク装置１においては、この軸受内面３２と、軸受穴Ｄに挿入されたモータシャフト２０との間にオイルＯが保持される。
【００２４】
また、この軸受内面３２は、流体軸受としてモータシャフト２０を回転可能に支持するためにオイルＯによる動圧を発生させる溝が形成された複数のラジアル軸受領域３３,３４を有する。
【００２５】
すなわち、この軸受内面３２は、回転軸Ｐに沿った方向に所定の距離だけ互いに離れた上ラジアル軸受領域３３と下ラジアル軸受領域３４とを有している。
【００２６】
この上ラジアル軸受領域３３においては、長さＬ５の範囲内に、オイルＯによる動圧を発生させる複数の溝からなるバランスグルーブＥが形成されている。また、この上ラジアル軸受領域３３においては、バランスグルーブＥの上方の長さＬ６の範囲内に、当該バランスグルーブに連なり、オイルＯが軸受穴Ｄ或いはオイルバッファＡから漏れ出ることを防止する複数の溝からなるアンバランスグルーブＦが形成されている。また、下ラジアル軸受領域３３においては、バランスグルーブＥのみが形成されている。
【００２７】
また、このスリーブ３０は、図４に示すように、アンバランスグルーブＦが形成されたバッファ内面３１を有することとしてもよい。この場合、軸受内面３２の上ラジアル軸受領域３３には、バランスグルーブＥのみが形成されることとなるため、スリーブ３０は、図３の場合に比べて、より上方に上ラジアル軸受領域３３を有することになり、モータシャフト２０をより安定して支持することができる。
【００２８】
次に、図５に、ディスク装置１の第二の例についての断面を示す。また、この場合のモータハブ１０の断面を図６に、スリーブ３０の断面を図７に、それぞれ示す。なお、この第二の例において第一の例と共通する部分については詳細な説明を省略する。
【００２９】
この第二の例において、ディスク装置１のモータハブ１０は、回転軸Ｐに略平行な突出部外面５２と、当該突出部外面５２と突出部内面５１とを繋ぎ、回転軸Ｐに対して略垂直な突出部下面５３と、を有する突出部５０を有する（図５、図６参照）。
【００３０】
また、このディスク装置１のスリーブ３０は、モータハブ１０の突出部外面５２に略平行に対向するバッファ内面３１と、突出部下面５３に略平行に対向するバッファ底面３５と、を有する（図５、図７参照）。
【００３１】
このスリーブ３０において、突出部受入穴Ｃは、バッファ内面３１とバッファ底面３５とに囲まれて形成されている。
【００３２】
そして、図５に示すように、ディスク装置１においては、このスリーブ３０の突出部受入穴Ｃ内に受け入れられた突出部５０の外面５２及び下面５３と、これらの面に対向する当該スリーブ３０のバッファ内面３１及びバッファ底面３５と、の間にオイルＯを蓄積するオイルバッファＡが形成される。
【００３３】
この第二の例においてもまた、モータシャフト２０がモータハブ１０に圧入されている長さＬ７の範囲内に、長さＬ８のオイルバッファＡの少なくとも一部が形成される。なお、図７に示すスリーブ３０において、例えば、図３や図４に示すようなバランスグルーブＥやアンバランスグルーブＦが形成されてもよい。
【００３４】
また、このディスク装置１は、図８に示すように、スリーブ３０のバッファ内面３１と軸受内面３２との間に、オイルＯを循環させるためのオイル循環流路Ｇが形成されることとしてもよい。
【００３５】
この場合のスリーブ３０の上面図を図９に、また、図９のＨ−Ｈ線に沿った断面を図１０にそれぞれ示す。図９に示すように、このスリーブ３０においては、回転軸Ｐを中心としたバッファ内面３１や軸受内面３２の同心円周上であって、当該バッファ内面３１と当該軸受内面３２との間に、オイル循環流路Ｇが形成されている。
【００３６】
このオイル循環流路Ｇは、図８及び図１０に示すように、スリーブ３０のバッファ底面３５から下方に向かって、軸受内面３２の長さＬ９の範囲にわたって貫通孔として形成されている。このオイル循環流路Ｇは、例えば、モータシャフト２０とスリーブ３０との間に発生した微小な気泡を逃がす役割も果たす。
【００３７】
このようなディスク装置１において、スリーブ３０のモータハブ１０の側板部１４に対向する側に固定されたコイルステータ４０と、当該コイルステータ４０に対向する当該側板部１４に固定されたマグネット４１と、の間に磁界を発生させることにより、当該モータハブ１０と、当該モータハブのディスク受け部１５に支持される磁気ディスクと、当該モータハブ１０に圧入されたモータシャフト２０と、が一体に回転する。
【００３８】
なお、このモータシャフト２０の回転に際して、当該モータシャフト２０とスリーブ３０との間に保持されるオイルＯが軸受内面３２のラジアル軸受領域３３,３４に形成されたバランスグルーブＥに沿って集められて発生する動圧によって、当該モータシャフト２０は軸受穴Ｄ内で浮上し、滑らかに回転する。
【図面の簡単な説明】
【００３９】
【図１】本発明の一実施形態における第一の例に係る磁気ディスク装置についての回転軸Ｐに沿った断面図である。
【図２】本発明の一実施形態における第一の例に係るモータハブについての回転軸Ｐに沿った断面図である。
【図３】本発明の一実施形態における第一の例に係るスリーブについての回転軸Ｐに沿った断面図である。
【図４】本発明の一実施形態における第一の例に係るスリーブについて、バッファ内面にアンバランスグルーブが形成された場合の回転軸Ｐに沿った断面図である。
【図５】本発明の一実施形態における第二の例に係る磁気ディスク装置についての回転軸Ｐに沿った断面図である。
【図６】本発明の一実施形態における第二の例に係るモータハブについての回転軸Ｐに沿った断面図である。
【図７】本発明の一実施形態における第二の例に係るスリーブについての回転軸Ｐに沿った断面図である。
【図８】本発明の一実施形態における第二の例に係る磁気ディスク装置について、オイル循環流路が形成された場合の回転軸Ｐに沿った断面図である。
【図９】本発明の一実施形態における第二の例に係るスリーブについて、オイル循環流路が形成された場合の上面図である。
【図１０】図９に示すスリーブのＨ−Ｈ線に沿った断面図である。
【図１１】従来の磁気ディスク装置の一例についての断面図である。
【符号の説明】
【００４０】
１  磁気ディスク装置、１０  モータハブ、１１  圧入内面、１２  中央部、１３  天板部、１４  側板部、１５  ディスク受け部、１６  天板部下面、１７  中央部上面、２０  モータシャフト、３０  スリーブ、３１  バッファ内面、３２  軸受内面、３３  上ラジアル軸受領域、３４  下ラジアル軸受領域、３５  バッファ底面、４０  コイルステータ、４１  マグネット、５０  突出部、５１  突出部内面、５２  突出部外面、５３  突出部下面。
【図１】
2006230106.tif 000003
【図２】
2006230106.tif 000004
【図３】
2006230106.tif 000005
【図４】
2006230106.tif 000006
【図５】
2006230106.tif 000007
【図６】
2006230106.tif 000008
【図７】
2006230106.tif 000009
【図８】
2006230106.tif 000010
【図９】
2006230106.tif 000011
【図１０】
2006230106.tif 000012
【図１１】
2006230106.tif 000013